(57)【要約】【目的】本発明は、液体を貯留するタンクにおいて、停滞エリアがない、衛生且つ安全な水の貯留を可能にするタンクを提供することを目的とする。【解決手段】流れの水路を絞れば、その運動エネルギーを大幅に増幅する流体特性を、貯液タンクの停滞エリアの解消へ応用するために、タンク内部に数枚の仕切板１０を設置し、更に仕切板１０を跨る、端部の方向変更が可能な連通管９を各仕切板１０に設置した。【効果】従来のタンクに比べて、枚数が少ない仕切板を用いて、停滞エリアがないタンクの貯水流況を確保できる。【選択図】  図１
2006111287.tif 000002
【特許請求の範囲】
【請求項１】
矩形貯液タンクにおいて、タンク側面と等幅で且つ連通管が跨った仕切板を停滞水防止手段とし、内部に設置したタンク。
【請求項２】
請求項１に記載の連通管は、水流が蛇行水路を形成するように、仕切板の左端部又は右端部に交互に設置した請求項１に記載のタンク。
【請求項３】
請求項１・請求項２のいずれに記載の連通管は、連通管を通過する水流の流入・流出方向を変更することができる構造である請求項１・請求項２のいずれに記載のタンク。
【請求項４】
請求項３に記載の方向変更の手段は、直管の端部の先方にじゃま板を設けること、直管の端部にエルボーを連結させること、直管の壁に穴を設けることである請求項３に記載のタンク。
【発明の詳細な説明】
【技術分野】
【０００１】
本発明は、水道水等の液体を貯留するのに用いるタンクに関するものである。
【背景技術】
【０００２】
従来、配水池や受水槽等の貯液タンクを用いて、貯水・配水に当たって、図５、図６に示すように、水が流入管２からタンクに入ってから、最短経路（流線７で示す）を経て流出管３へ移動する。この場合、タンク内のメイン水路以外の場所に貯水の停滞エリア８を形成しやすい。
【０００３】
この問題を解決するために、図７、図８に示すように、矩形タンクの内部にタンク幅より短い迂回板４を数枚設置し、水を蛇行させて、水の停滞エリアの形成を防ぐためのタンクが提案されている。
【発明の開示】
【発明が解決しようとする課題】
【０００４】
しかしながら、図７、図８に示す従来のタンクにおいては、メイン流れ７が及ぶ水路の幅が限られているので、停滞エリア８の完全な解消に至らないのが現状である。一方、迂回板４の枚数を増やせば、停滞エリア８を無くすことが可能であるが、施工が困難で、メンテナンスが不便等のことで、タンクのコストがかなり高くなって実用性が乏しい。従って、結果として、多数の迂回板の設置ができない図７、図８に示すようなタンクがよく使用され、停滞エリアが生じる恐れが依然として残っている。
【０００５】
本発明は、このような従来の技術に存在する問題点に着目して考案したもので、その目的は、できるだけ少ない枚数の仕切板を用い、水の流れを制御して、停滞エリアが殆ど発生しなく、衛生的な水を供給できるタンクを提供する。
【課題を解決するための手段】
【０００６】
図９に示すように、一定水位を持った定常流Ｑ（流入量と流出量が等しい）のタンクにおいて、Ｄ-Ｄ断面（図８に参照）では、開口部があり、その水路面積を（Ａ１＝ｌ×ｈ）を１００とし、Ａ-Ａ断面（図２に参照）では、連通管９（直径ｄ）が仕切板１０を跨り、その水路面積を（Ａ２＝πｄ２/４）１とする場合、流量Ｑが一定なので、二つの流れ断面における流体の運動エネルギーの比は、次の通りである。
【０００７】
Ｅ２/Ｅ１＝１/２ｍｖ２２：１/２ｍｖ１２＝Ａ１２：Ａ２２＝１００００：１
【０００８】
即ち、Ａ−Ａ断面において、水路断面積を絞ることによって、水流の運動エネルギーが大幅に増幅される。
【０００９】
貯水の流況は、貯水の運動エネルギーに依存するので、高い運動エネルギーを持った水流の方向を制御すれば、より広範囲において停滞エリアがない流況を形成させることができる。
【００１０】
本発明は、上述の流体の特性に基づき、考案したものである。
【００１１】
停滞エリアを解消する目的を達成するために、請求項１に記載の発明においては、矩形貯液タンクにおいて、タンク側面と等幅で、且つ連通管９が跨った仕切板１０を停滞水防止手段とし、内部に設置した。
【００１２】
請求項２に記載の発明においては、請求１に記載の連通管９は、水流が蛇行水路を形成するように、仕切板１０の左端部又は右端部に交互に設置した。
【００１３】
請求項３に記載の発明においては、請求項１・請求項２のいずれに記載の連通管９は、連通管を通過する水流の流入・流出方向を変更することができる構造である。
【００１４】
請求項４に記載の発明においては、請求項３に記載の方向変更の手段は、直管の連通管の端部の先方にじゃま板を設けたり、直管の端部にエルボーを連結させたり、直管の壁に穴を設けたりすることである。
【発明の効果】
【００１５】
前述のように、水路の絞りによって大幅に増幅された水流の運動エネルギーを利用して、貯水の流況改善が図れる。
【００１６】
従って、従来のタンクに比べて、枚数の少ない仕切板を用いて、停滞エリアがない貯水流況を確保できるので、高性能タンクの構築コストが削減できる。
【００１７】
又、従来の技術に比べて、仕切板はタンク幅の全範囲に及ぶので、耐震壁として高い効果が期待できる。
【００１８】
更に、低コストで停滞エリアが生じない貯液タンクを構築することができるので、停滞エリアがない貯液タンクが採用されやすくなり、より高品質の水道水の確保に寄与する。
【発明を実施するための最良の形態】
【００１９】
本発明の最良の形態は図１、図２に示す。
【００２０】
連通管９は各仕切板１０の左端部又は右端部に交互に設置される。連通管９の流入口・流出口が下向きである。
【実施例１】
【００２１】
本発明の実施例１は最良の形態の図１、図２に示すものである。
【００２２】
以下、本発明の実施例１を図１、図２に基づいて詳細に説明する。
【００２３】
図１、図２に示すように、タンクは底板５、側壁１、天井板６を有し、側壁１には流入管２と流出管３を設置する。
【００２４】
図１に示すように、停滞水防止手段としての仕切板１０はタンク本体内部に設置する。仕切板１０の下端部の近傍に円形パイプからなる連通管９を設ける。
【００２５】
連通管９を通過する流れの方向を制御するために、連通管の端部はエロボーを介在し下向きにする。
【００２６】
さて、このタンクにおいては、流入管２より流入された水流は、仕切板１０と連通管９により、蛇行水路を形成しながら、流出管３まで流れていく。
【００２７】
一方、この流れは、連通管９を通過するに当たって、水路が絞られて高速となり、高い運動エネルギーを持つことになる。
【００２８】
連通管９から流出した高速水流は、タンクの底板５に当たって、軸方向ではなく全方位へ流れていくので、仕切板１０に仕切られた全範囲における貯水がこれの影響を受けて、停滞エリアがない流況を形成する。従って、少ない枚数の仕切板１０を設置することによっても、タンク全範囲に停滞エリアがないタンクを提供することができる。
【実施例２】
【００２９】
本発明の実施例２は、図３、図４に示す。連通管９は、仕切板１０の片側（図示する実施例２では左側）に設置する。連通管９の端部は、水平且つ仕切板の連通管設置側の反対側（図示する実施例２では右側）に向いている。
【００３０】
このタンクにおいては、流入管２から流入した水流は、仕切板１０に区切った各範囲で、Ｕ字水路を形成しながら流出管３まで流れていく。
【００３１】
仕切板１０に区切った各範囲では、２本のメイン流線７を形成するので、タンク全範囲に停滞エリアがないタンクを提供することができる。
【図面の簡単な説明】
【００３２】
【図１】本発明の実施例１のタンク伏せ図
【図２】本発明の実施例１のタンク縦断面図（図１・図９のＡ-Ａ断面図）
【図３】本発明の実施例２のタンク伏せ図
【図４】本発明の実施例２のタンク縦断面図（図３のＢ-Ｂ断面図）
【図５】通常のタンク伏せ図（停滞水防止手段を備えない）
【図６】通常のタンク縦断面図（図５のＣ-Ｃ断面図）
【図７】通常のタンク伏せ図（停滞水防止手段を備える）
【図８】通常のタンク縦断面図（図７・図９のＤ-Ｄ断面図）
【図９】説明用のタンク伏せ図
【符号の説明】
【００３３】
１      タンクの側壁
２      タンクの流入管
３      タンクの流出管
４      タンクの迂回板
５      タンクの底板
６      タンクの天井板
７      流れの流線
８      貯水の停滞エリア
９      連通管
１０    仕切板
【図１】
2006111287.tif 000003
【図２】
2006111287.tif 000004
【図３】
2006111287.tif 000005
【図４】
2006111287.tif 000006
【図５】
2006111287.tif 000007
【図６】
2006111287.tif 000008
【図７】
2006111287.tif 000009
【図８】
2006111287.tif 000010
【図９】
2006111287.tif 000011